(57)【要約】【課題】合成画像の状態に関わらず、ユーザが望む圧縮画像を出力する。【解決手段】撮像装置１は、露出の異なる複数の画像を撮像する撮像手段１１〜１５と、撮像手段１１〜１５により撮像された画像から被写体の画像内における位置の変化を抽出する位置変化抽出手段２０と、各画像を合成して合成画像を作成する画像合成手段２０と、画像合成手段２０により合成された合成画像を記憶する画像記憶手段２５，２６と、画像合成手段２０により合成された合成画像を予め設定された初期パラメータに基づいて圧縮する初期圧縮手段２０と、初期圧縮手段２０により圧縮された圧縮画像を表示する表示手段１６と、合成画像を圧縮する設定パラメータを設定入力するパラメータ設定入力手段１７と、画像記憶手段２５，２６に記憶された合成画像をパラメータ設定入力手段１７により設定入力された設定パラメータに基づいて圧縮する設定圧縮手段２０と、を備える。【選択図】図１
2007020086.tif 000002
【特許請求の範囲】
【請求項１】
露出の異なる複数の画像を撮像する撮像手段と、
前記撮像手段により撮像された画像から被写体の画像内における位置の変化を抽出する位置変化抽出手段と、
各画像を合成して合成画像を作成する画像合成手段と、
前記画像合成手段により合成された合成画像を記憶する画像記憶手段と、
前記画像合成手段により合成された合成画像を予め設定された初期パラメータに基づいて所定の出力範囲の画像に圧縮する初期圧縮手段と、
前記初期圧縮手段により所定の出力範囲の画像に圧縮された画像を表示する表示手段と、
前記合成画像を圧縮する設定パラメータを設定入力するパラメータ設定入力手段と、
前記画像記憶手段に記憶された前記合成画像を前記パラメータ設定入力手段により設定入力された設定パラメータに基づいて圧縮する設定圧縮手段と、
を備えることを特徴とする撮像装置。
【請求項２】
前記パラメータ設定入力手段は、前記初期圧縮手段により圧縮され、前記表示手段に表示された画像のうち、ユーザが所望する画素の位置を指定可能に構成され、
前記パラメータ設定入力手段により指定された位置の画素の輝度を算出する輝度算出手段を備え、
前記設定圧縮手段は、前記輝度算出手段により算出された輝度値近傍を強調するように前記合成画像を圧縮することを特徴とする請求項１に記載の撮像装置。
【請求項３】
前記パラメータ設定入力手段は、ユーザが所望する色を設定入力可能に構成され、
前記パラメータ設定入力手段により設定入力された色の輝度値を算出する輝度算出手段を備え、
前記設定圧縮手段は、前記輝度算出手段により算出された輝度値近傍を強調するように前記合成画像を圧縮することを特徴とする請求項１に記載の撮像装置。
【請求項４】
露出の異なる複数の画像を撮像する撮像工程と、
前記撮像工程により撮像された画像から被写体の画像内における位置の変化を抽出する位置変化抽出工程と、
各画像を合成して合成画像を作成する画像合成工程と、
前記画像合成工程により合成された合成画像を記憶する画像記憶工程と、
前記画像合成工程により合成された合成画像を予め設定された初期パラメータに基づいて所定の出力範囲の画像に圧縮する初期圧縮工程と、
前記初期圧縮工程により所定の出力範囲の画像に圧縮された画像を表示する表示工程と、
前記合成画像を圧縮する設定パラメータを設定入力するパラメータ設定入力工程と、
前記画像記憶工程において記憶された前記合成画像を前記パラメータ設定入力工程により設定入力された設定パラメータに基づいて圧縮する設定圧縮工程と、
を備えることを特徴とする撮像方法。
【請求項５】
露出の異なる複数の画像を撮像する撮像手段と、画像を記憶する画像記憶手段と、画像を表示する表示手段と、画像を圧縮する設定パラメータを設定入力するパラメータ設定入力手段と、を備えるコンピュータに、
前記撮像手段により撮像された画像から被写体の画像内における位置の変化を抽出する位置変化抽出機能と、
各画像を合成して合成画像を作成する画像合成機能と、
前記画像合成機能により合成された合成画像を予め設定された初期パラメータに基づいて所定の出力範囲の画像に圧縮する初期圧縮機能と、
前記初期圧縮機能により所定の出力範囲の画像に圧縮されて前記表示手段に表示された画像に基づいて、前記パラメータ設定入力手段により設定入力された設定パラメータに基づいて前記合成画像を圧縮する設定圧縮機能と、
を実現させるためのプログラム。
【発明の詳細な説明】
【技術分野】
【０００１】
本発明は、撮像装置、撮像方法及びプログラムに関する。
【背景技術】
【０００２】
従来から、互いに異なる露出で複数の画像を撮像し、各画像を合成することによりダイナミックレンジを拡大した合成画像を作成することができる撮像装置としてのデジタルカメラがある。
このようなデジタルカメラには、合成画像の階調を圧縮する際に、合成画像の階調数と出力画像の階調数との比に基づき定まる直線と、合成画像の輝度分布を示すヒストグラムとを合成した合成曲線に基づき階調変換テーブルを作成し、この階調変換テーブルを参照して階調を圧縮するものがある（例えば、特許文献１参照。）。
【特許文献１】特開２００３−４６８５９号公報
【発明の開示】
【発明が解決しようとする課題】
【０００３】
ところで、上記特許文献１においては、鮮明に出力したい被写体がダイナミックレンジの広い合成画像中に占める面積が大きいことを前提としており、ヒストグラムのピーク近辺の輝度値がなるべく多くの階調に配分される階調変換テーブルを決定することによって、鮮明に撮像したい被写体のコントラスト低下を抑制するものである。
しかし、合成画像には、鮮明に出力したい被写体が合成画像内に複数存在する場合や、背景に輝度が均一な比較的広い領域が存在する場合があり、このような場合にまで同じ階調変換テーブルを用いると、合成画像によってはユーザが望む圧縮画像で出力できないという問題があった。
【０００４】
そこで、本発明は、上記課題を解決するためになされたものであり、合成画像の状態に関わらず、ユーザが望む圧縮画像を出力することができる撮像装置、撮像方法及びプログラムを提供することを目的とする。
【課題を解決するための手段】
【０００５】
請求項１に記載の発明は、撮像装置において、露出の異なる複数の画像を撮像する撮像手段と、前記撮像手段により撮像された画像から被写体の画像内における位置の変化を抽出する位置変化抽出手段と、各画像を合成して合成画像を作成する画像合成手段と、前記画像合成手段により合成された合成画像を記憶する画像記憶手段と、前記画像合成手段により合成された合成画像を予め設定された初期パラメータに基づいて所定の出力範囲の画像に圧縮する初期圧縮手段と、前記初期圧縮手段により所定の出力範囲の画像に圧縮された画像を表示する表示手段と、前記合成画像を圧縮する設定パラメータを設定入力するパラメータ設定入力手段と、前記画像記憶手段に記憶された前記合成画像を前記パラメータ設定入力手段により設定入力された設定パラメータに基づいて圧縮する設定圧縮手段と、を備えることを特徴とする。
ここで、パラメータとは、画像を出力に合わせて圧縮するために、画像の画素に表された輝度のうち、どの輝度付近を鮮明にするかを決定づける指標である。すなわち、パラメータと輝度が関連づけられたものとなっている。
【０００６】
請求項２に記載の発明は、請求項１に記載の撮像装置において、前記パラメータ設定入力手段は、前記初期圧縮手段により圧縮され、前記表示手段に表示された画像のうち、ユーザが所望する画素の位置を指定可能に構成され、前記パラメータ設定入力手段により指定された位置の画素の輝度を算出する輝度算出手段を備え、前記設定圧縮手段は、前記輝度算出手段により算出された輝度値近傍を強調するように前記合成画像を圧縮することを特徴とする。
【０００７】
請求項３に記載の発明は、請求項１に記載の撮像装置において、前記パラメータ設定入力手段は、ユーザが所望する色を設定入力可能に構成され、前記パラメータ設定入力手段により設定入力された色の輝度値を算出する輝度算出手段を備え、前記設定圧縮手段は、前記輝度算出手段により算出された輝度値近傍を強調するように前記合成画像を圧縮することを特徴とする。
【０００８】
請求項４に記載の発明は、撮像方法において、露出の異なる複数の画像を撮像する撮像工程と、前記撮像工程により撮像された画像から被写体の画像内における位置の変化を抽出する位置変化抽出工程と、各画像を合成して合成画像を作成する画像合成工程と、前記画像合成工程により合成された合成画像を記憶する画像記憶工程と、前記画像合成工程により合成された合成画像を予め設定された初期パラメータに基づいて所定の出力範囲の画像に圧縮する初期圧縮工程と、前記初期圧縮工程により所定の出力範囲の画像に圧縮された画像を表示する表示工程と、前記合成画像を圧縮する設定パラメータを設定入力するパラメータ設定入力工程と、前記画像記憶工程において記憶された前記合成画像を前記パラメータ設定入力工程により設定入力された設定パラメータに基づいて圧縮する設定圧縮工程と、を備えることを特徴とする。
【０００９】
請求項５に記載の発明は、プログラムにおいて、露出の異なる複数の画像を撮像する撮像手段と、画像を記憶する画像記憶手段と、画像を表示する表示手段と、画像を圧縮する設定パラメータを設定入力するパラメータ設定入力手段と、を備えるコンピュータに、前記撮像手段により撮像された画像から被写体の画像内における位置の変化を抽出する位置変化抽出機能と、各画像を合成して合成画像を作成する画像合成機能と、前記画像合成機能により合成された合成画像を予め設定された初期パラメータに基づいて所定の出力範囲の画像に圧縮する初期圧縮機能と、前記初期圧縮機能により所定の出力範囲の画像に圧縮されて前記表示手段に表示された画像に基づいて、前記パラメータ設定入力手段により設定入力された設定パラメータに基づいて前記合成画像を圧縮する設定圧縮機能と、を実現させることを特徴とする。
【発明の効果】
【００１０】
請求項１記載の発明によれば、撮像手段により露出の異なる複数の画像を撮像し、位置変化抽出手段により撮像された画像から被写体の画像内における位置の変化を抽出する。そして、画像合成手段により複数の撮像画像を合成する。このとき、位置変化抽出手段により抽出された位置の変化に基づき、各画像の位置を合わせた状態で合成が行われる。画像合成手段により合成された合成画像は画像記憶手段に記憶される一方、合成画像は初期圧縮手段により初期パラメータにより圧縮され、その画像は表示手段に表示される。
ユーザは、表示手段に表示された画像を視認し、所望する画像でなければパラメータ設定入力手段から設定パラメータを設定入力する。ユーザにより設定パラメータが設定入力されると、設定圧縮手段は画像記憶手段に記憶された合成画像を設定パラメータに基づいて圧縮する。
【００１１】
これにより、圧縮する前の合成画像を画像記憶手段に記憶しておき、初期圧縮手段により圧縮した画像をユーザに確認させ、圧縮された画像をユーザが所望していない場合にその圧縮の初期パラメータをユーザが変更して画像記憶手段に記憶された合成画像を圧縮することができる。すなわち、初期圧縮手段によりユーザが望む画像が確認され、確認されたユーザの望みに応じて設定圧縮手段により合成画像を圧縮するので、初期圧縮手段によりユーザが望まない画像となっても、後にユーザが望む画像を出力することができる。
【００１２】
請求項２に記載の発明によれば、パラメータ設定入力手段は、初期圧縮手段により圧縮されて表示手段に表示された画像のうち、ユーザが所望する画素の位置を指定可能に構成されているので、ユーザが表示手段に表示された画像を視認して所望する画素の位置を指定すると、輝度算出手段は指定された位置の画素の輝度値を算出する。そして、設定圧縮手段は、輝度算出手段により算出された輝度値近傍を強調するように合成画像を圧縮する。
これにより、設定パラメータの設定は、表示手段に表示された画像を見ながらユーザが望む位置を指定するだけで行うことができるので、画像の輝度値に関して知識がない者であっても、ユーザが望む画像を容易に出力することができる。
【００１３】
請求項３に記載の発明によれば、パラメータ設定入力手段は、初期圧縮手段により圧縮されて表示手段に表示された画像のうち、ユーザが所望する色を設定入力可能に構成されているので、ユーザが色を設定入力すると、輝度算出手段は設定入力された色の輝度値を算出する。そして、設定圧縮手段は、輝度算出手段により算出された輝度値近傍を強調するように合成画像を圧縮する。
これにより、初期圧縮手段によりユーザが望む画像が確認され、確認されたユーザの望みに応じて設定圧縮手段により合成画像を圧縮するので、初期圧縮手段によりユーザが望まない画像となっても、後にユーザが望む画像を出力することができる。
また、設定パラメータの設定は、表示手段に表示された画像を見ながらユーザが望む色を指定するだけで行うことができるので、画像の輝度値に関して知識がない者であっても、ユーザが望む画像を容易に出力することができる。
【００１４】
請求項４に記載の発明によれば、撮像工程で露出の異なる複数の画像を撮像し、位置変化抽出工程で撮像された画像から被写体の画像内における位置の変化を抽出する。そして、画像合成工程で複数の撮像画像を合成する。このとき、位置変化抽出工程で抽出された位置の変化に基づき、各画像の位置を合わせた状態で合成が行われる。画像合成工程で合成された合成画像は画像記憶工程で記憶される一方、合成画像は初期圧縮工程で初期パラメータにより圧縮され、その画像は表示工程で表示される。
ユーザは、表示工程で表示された画像を視認し、所望する画像でなければパラメータ設定入力工程で設定パラメータを設定入力する。ユーザにより設定パラメータが設定入力されると、設定圧縮工程では画像記憶工程で記憶された合成画像を設定パラメータに基づいて圧縮する。
【００１５】
これにより、圧縮する前の合成画像を記憶しておき、初期圧縮工程で圧縮した画像をユーザに確認させ、圧縮された画像をユーザが所望していない場合にその圧縮の初期パラメータをユーザが変更して記憶された合成画像を圧縮することができる。すなわち、初期圧縮工程でユーザが望む画像が確認され、確認されたユーザの望みに応じて設定圧縮工程で合成画像を圧縮するので、初期圧縮工程でユーザが望まない画像となっても、後にユーザが望む画像を出力することができる。
【００１６】
請求項５に記載の発明によれば、撮像手段により露出の異なる複数の画像を撮像し、位置変化抽出機能により撮像された画像から被写体の画像内における位置の変化を抽出する。そして、画像合成機能により複数の撮像画像を合成する。このとき、位置変化抽出機能により抽出された位置の変化に基づき、各画像の位置を合わせた状態で合成が行われる。画像合成機能により合成された合成画像は画像記憶手段に記憶される一方、合成画像は初期圧縮機能により初期パラメータにより圧縮され、その画像は表示手段に表示される。
ユーザは、表示手段に表示された画像を視認し、所望する画像でなければパラメータ設定入力手段から設定パラメータを設定入力する。ユーザにより設定パラメータが設定入力されると、設定圧縮機能は画像記憶手段に記憶された合成画像を設定パラメータに基づいて圧縮する。
【００１７】
これにより、圧縮する前の合成画像を画像記憶手段に記憶しておき、初期圧縮機能により圧縮した画像をユーザに確認させ、圧縮された画像をユーザが所望していない場合にその圧縮の初期パラメータをユーザが変更して画像記憶手段に記憶された合成画像を圧縮することができる。すなわち、初期圧縮機能によりユーザが望む画像が確認され、確認されたユーザの望みに応じて設定圧縮機能により合成画像を圧縮するので、初期圧縮機能によりユーザが望まない画像となっても、後にユーザが望む画像を出力することができる。
【発明を実施するための最良の形態】
【００１８】
以下、図面を参照して、本発明に係る撮像装置、撮像方法及びプログラムの最良の形態について詳細に説明する。
＜撮像装置の構成＞
図１は、撮像装置１の構成を示すブロック図である。
撮像装置１は、集光して被写体の画像を結像するための光学系１１と、光学系１１により結像された画像を取り込むためにデジタル化する光電変換部１２と、ストロボ発光させるストロボ発光部１３と、ズーム調節を行うズーム駆動部１４と、焦点を調節するフォーカス駆動部１５と、光学系１１により結像された画像を表示させる表示手段としての表示部１６と、操作入力を行う操作入力部１７と、各部の動作制御を行う制御部２０と、を備えている。
光学系１１、光電変換部１２、ストロボ発光部１３、ズーム駆動部１４、フォーカス駆動部１５等により撮像手段が構成されている。
制御部２０は、各部の動作制御に関する処理プログラムに従って各処理を実行するＣＰＵ２１と、各処理を実行するための処理プログラムや画像データ等が記憶されるメモリ２２と、を備えている。
メモリ２２には、処理プログラムが展開され、当該プログラムに基づく処理を行う作業エリア２３と、各部の動作制御に関する処理プログラムが記憶されたプログラムエリア２４と、光学系１１により結像され、光電変換部１２によりデジタル化された画像の画像データを記憶する画像記憶手段としての画像データエリア２５が形成されている。また、制御部２０には、外付けの外部メモリ２６が接続されている。この外部メモリ２６も画像記憶手段として機能する。
【００１９】
図２は、プログラムエリア２４の構成を示すブロック図である。
プログラムエリア２４には、異なる露出で撮像された、例えば、シャッタースピードの異なる二つの画像データを比較して被写体の画像内における位置の変化を抽出する位置変化抽出プログラム２４ａが記憶されている。すなわち、ＣＰＵ２１が位置変化抽出プログラム２４ａを実行することにより、制御部２０は位置変化抽出手段として機能する。
また、プログラムエリア２４には、各画像を合成して一つの合成画像を作成する画像合成プログラム２４ｂが記憶されている。すなわち、ＣＰＵ２１が画像合成プログラム２４ｂを実行することにより、制御部２０は画像合成手段として機能する。
また、プログラムエリア２４には、画像合成プログラム２４ｂにより合成された合成画像を予め設定された初期パラメータに基づいて圧縮する初期圧縮プログラム２４ｃが記憶されている。すなわち、ＣＰＵ２１が初期圧縮プログラム２４ｃを実行することにより、制御部２０は初期圧縮手段として機能する。
また、プログラムエリア２４には、メモリ２２に記憶された合成画像を操作入力部１７により設定入力された設定パラメータに基づいて圧縮する設定圧縮プログラム２４ｄが記憶されている。すなわち、ＣＰＵ２１が設定圧縮プログラム２４ｄを実行することにより、制御部２０は設定圧縮手段として機能する。
また、プログラムエリア２４には、初期圧縮プログラム２４ｃ又は設定圧縮プログラム２４ｄにより圧縮された圧縮画像に画像処理を施す画像処理プログラム２４ｅが記憶されている。
【００２０】
＜撮像方法＞
撮像装置１による撮像方法について説明する。
図３に示すように、ユーザが操作入力部１７を構成する撮像ボタンを押下すると、光学系１１が捉えている被写体が光電変換部１２に集光され、光電変換部１２はデジタル画像を作成する。このとき、光電変換部１２が有する電子シャッタや光学系１１が有する機械式シャッタにより露出時間を変化させて二つの画像の撮像が行われる（ステップＳ１：撮像工程）。
次いで、ＣＰＵ２１は、位置変化抽出プログラム２４ａを実行することにより、露出の異なる二つの画像から被写体の画像内における位置の変化を抽出する（ステップＳ２：位置変化抽出工程）。被写体の位置の変化を抽出するには、撮像された画像の特徴点を抽出する。特徴点の抽出に当たっては、ＫＬＴ法等の方法で画像の固有値を有限個抽出して特徴点とする。そして、抽出された特徴点が次の画像においてどこに移動したかを知るため、特徴点に最も近い点を探す。これを複数の特徴点で行い、二つの画像間で特徴点の位置座標を対応させ画像の変換行列を求める。
【００２１】
次いで、ＣＰＵ２１は、画像合成プログラム２４ｂを実行することにより、二つの撮像画像を合成して一つの合成画像を作成する（ステップＳ３：画像合成工程）。撮像画像の合成においては、図４に示すように、二つの画像データのうち、露出の長い撮像画像の画像データに合わせて露出の短い撮像画像の画像データを露出の比で補正した後に合成する。具体的には、露出の長い撮像画像の画像データをＰｌ、露出の短い撮像画像の画像データをＰｓ、露出量の比をｋとすると、ＣＰＵ２１は、位置変化抽出プログラム２４ａにて算出した変換行列を用いて両画像の位置座標を合わせ、露出の短い撮像画像の画像データＰｓに露出量の比ｋを乗算した値が所定の輝度閾値th0よりも大きい場合は、露出の短い撮像画像の画像データＰｓに露出量の比ｋを乗算した値を画像データとして用い、露出の短い撮像画像の画像データＰｓに露出量の比ｋを乗算した値が所定の輝度閾値th0以下である場合は、露出の長い撮像画像の画像データＰｌを用いる。
【００２２】
次いで、ＣＰＵ２１は、画像合成プログラム２４ｂにより合成されてできた合成画像を、圧縮や画像処理等の何の処理も施すことなく、メモリ２２内の画像データエリア２５又は外付けの外部メモリ２６に記憶させる（ステップＳ４：画像記憶工程）。
次いで、ＣＰＵ２１は、初期圧縮プログラム２４ｃを実行することにより、初期圧縮プログラム２４ｃ内に組み込まれている初期パラメータで表示部１６の出力レンジに合わせて合成画像を圧縮する（ステップＳ５：初期圧縮行程）。
【００２３】
ここで、合成画像の圧縮方法について説明すると、例えば、図５に示すように、初期パラメータは、パラメータ変換部２０１において輝度値に変換される。次に、輝度変換曲線作成部２０２において変換された輝度値近傍を強調するように輝度変換曲線を作成する。輝度変換曲線とは、例えば、図６に示すように、入力輝度値と出力輝度値との関係によって表したものである。輝度変換曲線は、変換された輝度値近傍の傾きを大きくした曲線を作成し、ガンマ曲線やヒストグラム累積曲線等と合成して作成される。
また、合成画像は、画像サイズ調整部２０３で表示部１６の表示領域に合わせて縮小され、輝度算出手段としての輝度算出部２０４で輝度値が算出される。算出された輝度値は、作成された輝度変換曲線により輝度変換部２０５で変換される。出力画像作成部２０６では、出力レンジに合わせて変換した輝度値と圧縮前の合成画像の輝度値の比を各画素で算出し、画像サイズ調節部２０３で縮小された合成画像のＲＧＢデータに乗算して圧縮画像データを作成する。
なお、これらの処理は、全て制御部２０で行われ、各処理はプログラムエリア２４に記憶された所定のプログラムに基づいてなされる。
【００２４】
ＣＰＵ２１は、合成画像を初期パラメータで圧縮した後、圧縮画像にガンマ補正、色補正等の画像処理を施し（ステップＳ６）、画像処理後の出力画像を表示部１６に表示させる（ステップＳ７：表示工程）。
次いで、ＣＰＵ２１は、初期パラメータにより圧縮して画像処理した出力画像がユーザの所望する画像であるか否かを判断する（ステップＳ８）。すなわち、ＣＰＵ２１は、表示部１６に表示された出力画像を見たユーザの所望する画像であるか否かの旨が操作入力部１７から操作入力されたか否かを判断する。
ここで、ＣＰＵ２１が、ユーザの所望する画像である旨が入力されたと判断した場合（ステップ８：ＹＥＳ）、ＣＰＵ２１は、表示されている出力画像を画像データエリア２５又は外部メモリ２６に記憶させ（ステップＳ１３）、本処理を終了させる。
一方、ＣＰＵ２１が、ユーザの所望する画像ではない旨が入力されたと判断した場合（ステップ８：ＮＯ）、ＣＰＵ２１は、パラメータ設定入力手段としての操作入力部１７から設定パラメータが入力されたか否かを判断する（ステップＳ９：設定入力工程）。
【００２５】
ステップＳ９において、ＣＰＵ２１が、操作入力部１７から設定パラメータが入力されたと判断した場合（ステップＳ９：ＹＥＳ）、ＣＰＵ２１は、設定圧縮プログラム２４ｄを実行することにより、操作入力部１７から入力された設定パラメータで表示部１６の出力レンジに合わせて画像データエリア２５又は外部メモリ２６に記憶された合成画像を圧縮する（ステップＳ１０：設定圧縮行程）。ここで、初期パラメータを設定パラメータに変更することにより、図６に示す輝度変換曲線は、例えば、実線から破線のような輝度変換曲線に変わることになる。なお、ここでの圧縮処理はステップＳ５の圧縮処理と同様の方法で行う。
ＣＰＵ２１は、合成画像を設定パラメータで圧縮した後、圧縮画像にガンマ補正、色補正等の画像処理を施し（ステップＳ１１）、画像処理後の出力画像を表示部１６に表示させ（ステップＳ１２）、再度、ステップＳ８の判断に戻る。そして、出力画像がユーザの所望する画像になっていれば、ＣＰＵ２１は、ステップＳ１２において、表示されている出力画像を画像データエリア２５又は外部メモリ２６に記憶させ（ステップＳ１３）、本処理を終了させる。
【００２６】
＜実施形態の作用効果＞
実施形態によれば、露出の異なる複数の画像を撮像し、位置変化抽出プログラム２４ａの実行により、撮像された画像から被写体の画像内における位置の変化を抽出する。そして、画像合成プログラム２４ｂの実行により、複数の撮像画像を合成して合成画像を作成する。このとき、位置変化抽出プログラム２４ａの実行により抽出された位置の変化に基づき、各画像の位置を合わせた状態で合成が行われる。画像合成プログラム２４ｂの実行により合成された合成画像は画像データエリア２５又は外部メモリ２６に記憶される。一方、合成画像は初期圧縮プログラム２４ｃにより初期パラメータで圧縮され、その圧縮画像は表示部１６に表示される。
ユーザは、表示部１６に表示された圧縮画像を視認し、所望する圧縮画像でなければ操作入力部１７から設定パラメータを設定入力する。ユーザにより設定パラメータが設定入力されると、設定圧縮プログラム２４ｄの実行により、画像データエリア２５又は外部メモリ２６に記憶された合成画像を設定パラメータに基づいて圧縮する。
【００２７】
これにより、圧縮する前の合成画像を画像データエリア２５又は外部メモリ２６に記憶しておき、初期圧縮プログラム２４ｃにより圧縮した画像をユーザに確認させ、圧縮された画像をユーザが所望していない場合にその圧縮の初期パラメータをユーザが変更して画像データエリア２５又は外部メモリ２６に記憶された合成画像を圧縮することができる。すなわち、初期圧縮プログラム２４ｃによりユーザが望む圧縮画像が確認され、確認されたユーザの望みに応じて設定圧縮プログラム２４ｄにより合成画像を圧縮するので、初期圧縮プログラム２４ｃによりユーザが望まない画像となっても、後にユーザが望む画像を出力することができる。
【００２８】
（変形例）
なお、本発明は上記実施形態に限られるものではない。例えば、操作入力部から入力される設定パラメータとして、ユーザが所望する輝度値を直接入力するようにし、設定圧縮プログラムの実行により、入力された輝度値近傍を強調するように合成画像を圧縮するようにしてもよい。
これにより、設定パラメータを輝度に変換して画像の圧縮を行う必要がなくなるので、画像圧縮処理の一工程を省略することができ、画像圧縮処理の高速化を図ることができる。
【００２９】
また、表示部１６に表示された出力画像上にカーソルを表示させ、出力画像上の任意の点、具体的には、出力画像を視認したユーザが所望する輝度を有する画素の位置を指定できるように構成し、カーソルで指定された画素の輝度値を輝度算出部により算出し、設定圧縮プログラムの実行により算出された輝度値近傍を強調するように合成画像を圧縮するようにしてもよい。
これにより、ユーザの望みに応じて合成画像を圧縮するので、合成画像の状態に関わらず、ユーザが望む画像を出力することができる。設定パラメータの設定は、表示部１６に表示された画像を見ながらユーザが望む位置を指定するだけで行うことができるので、初期圧縮プログラム２４ｃによりユーザが望まない画像となっても、後にユーザが望む画像を出力することができる。
【００３０】
また、操作入力部１７からユーザが所望する色を設定入力できるように構成し、設定入力された色の輝度値を輝度算出部により算出し、設定圧縮プログラムの実行により算出された輝度値近傍を強調するように合成画像を圧縮するようにしてもよい。
これにより、ユーザの望みに応じて合成画像を圧縮するので、合成画像の状態に関わらず、ユーザが望む画像を出力することができる。
また、設定パラメータの設定は、表示手段に表示された画像を見ながらユーザが望む画素を指定するだけで行うことができるので、画像の輝度値に関して知識がない者であっても、ユーザが望む画像を容易に出力することができる。
【００３１】
また、上記実施形態においては、異なる露出で撮像され、合成される画像を二つとしたが、三つ以上の画像を合成するものであってもよい。その場合、露出補正値は、最も露出の長い画像を基準として、他の画像の露出補正値を算出すればよい。
また、合成画像の画像データの圧縮を撮像装置で行うものに限らず、合成画像の画像データをパーソナルコンピュータに送信し、パーソナルコンピュータで圧縮処理を行ってもよい。
また、複数の設定パラメータを設定入力可能に構成してもよい。その場合、図７に示すように、輝度変換曲線の傾きの大きい部分を二カ所以上作成する。
その他、発明の範囲内で自由に設計変更が可能である。
【図面の簡単な説明】
【００３２】
【図１】撮像装置の構成ブロック図である。
【図２】図１におけるプログラムエリア構成ブロック図である。
【図３】撮像の流れを示すフローチャートである。
【図４】露出の異なる二つの画像データの比較を示すグラフである。
【図５】合成画像の圧縮処理について説明する図である。
【図６】輝度変換曲線を示すグラフである。
【図７】変形例における輝度変換曲線を示すグラフである。
【符号の説明】
【００３３】
１  撮像装置
１１  光学系（撮像手段）
１２  光電変換部（撮像手段）
１３  ストロボ発光部（撮像手段）
１４  ズーム駆動部（撮像手段）
１５  フォーカス駆動部（撮像手段）
１６  表示部（表示手段）
１７  操作入力部（パラメータ設定入力手段）
２０  制御部（位置変化抽出手段、画像合成手段、初期圧縮手段、設定圧縮手段）
２０４  輝度算出部（輝度算出手段）
【図１】
2007020086.tif 000003
【図２】
2007020086.tif 000004
【図３】
2007020086.tif 000005
【図４】
2007020086.tif 000006
【図５】
2007020086.tif 000007
【図６】
2007020086.tif 000008
【図７】
2007020086.tif 000009